(57)【特許請求の範囲】
【請求項１】
一枚の帯状鋼板を、中空部を形成するように幅方向に折り返し折曲し、インターロック係合部が幅方向端部同士の重合部側、インターロック係合受部が折り返し側に形成された防火用中空スラットのインターロック係合部の形成法であって、
幅方向に折曲した帯状鋼板の一方の端部に余端部を残して幅方向端部同士を重合させる工程と、
該余端部を折り返して他方の端部に密着重合させる工程と、
該密着重合部にローレット加工を施す工程と、
ローレット加工が施された密着重合部を先端に有する幅方向端部同士の重合部を曲げ加工することでインターロック係合部を形成する工程と、
からなる防火用中空スラットのインターロック係合部の形成法。
【請求項２】
板厚０．５ｍｍ以上の一枚の帯状鋼板を中空部を形成するように幅方向に折り返し折曲して成形された中空スラットであって、
該スラットは、中空部を備えたスラット本体と、スラット高さ方向一端側に形成されたインターロック係合部と、スラット高さ方向他端側に形成されたインターロック係合受部とを有し、
該インターロック係合部は、該鋼板の幅方向端部同士を一方の端部に余端部を形成するように重合させてなる重合部を曲げ加工して形成されており、該重合部は、該余端部を折り返して密着重合させた密着重合部を先端に有すると共に、該密着重合部にはローレット加工が施されており、
該インターロック係合受部は該鋼板の折り返し部を中空部からなる突出部を残すようにして凹状に重合させて形成されており、
該中空スラットは、スラットを上下に係合連結した際に、少なくとも全閉時において、一側のスラットの該中空状突出部が他側のスラットの中空状のスラット本体に当接することで中空部が上下方向に連続するように構成されていることを特徴とする防火用中空スラット。
【発明の詳細な説明】
【０００１】
【発明の属する技術分野】
本発明は、防火用中空スラットおよび防火用中空スラットのインターロック係合部の形成法に関するものである。
【０００２】
【従来の技術】
近年、シャッターカーテンを構成するスラットを中空スラットから構成することが提案されている。中空スラットは、シャッターカーテンの軽量化あるいはコスト削減においては有利である。
【０００３】
一般に、中空スラットは、ロール成形によって一枚の鋼板から形成されるが、鋼板端部の連結部位の強度が弱いと、スラットにねじれが加わった場合に、ねじれにより断面形状が崩れてしまうという不具合がある。また、一度ねじれて断面形状が変形すると、ねじれたままになってしまうという惧れもあった。
【０００４】
【発明が解決しようとする課題】
本発明は、前記不具合を解決するために創案されたものであって、中空スラットにおいて、スラット形状及びスラット強度を安定させることを目的とするものである。
【０００５】
【課題を解決するための手段】
かかる課題を達成するために本発明が採用した技術手段は、一枚の帯状鋼板を、中空部を形成するように幅方向に折り返し折曲し、インターロック係合部が幅方向端部同士の重合部側、インターロック係合受部が折り返し側に形成された防火用中空スラットのインターロック係合部の形成法であって、幅方向に折曲した帯状鋼板の一方の端部に余端部を残して幅方向端部同士を重合させる工程と、該余端部を折り返して他方の端部に密着重合させる工程と、該密着重合部にローレット加工を施す工程と、ローレット加工が施された密着重合部を先端に有する幅方向端部同士の重合部を曲げ加工することでインターロック係合部を形成する工程と、からなる。
【０００６】
好ましくは、中空スラットはロール成形によって形成され、該密着重合工程の後には、該密着重合部に臨んでカシメ加工用成形ロールが配設されており、該成形ロールを通過することでカシメ加工が施される。
【０００７】
また、本発明が採用したスラットは、板厚０．５ｍｍ以上の一枚の帯状鋼板を中空部を形成するように幅方向に折り返し折曲して成形された中空スラットであって、該スラットは、中空部を備えたスラット本体と、スラット高さ方向一端側に形成されたインターロック係合部と、スラット高さ方向他端側に形成されたインターロック係合受部とを有し、該インターロック係合部は、該鋼板の幅方向端部同士を一方の端部に余端部を形成するように重合させてなる重合部を曲げ加工して形成されており、該重合部は、該余端部を折り返して密着重合させた密着重合部を先端に有すると共に、該密着重合部にはローレット加工が施されており、該インターロック係合受部は該鋼板の折り返し部を中空部からなる突出部を残すようにして凹状に重合させて形成されており、該中空スラットは、スラットを上下に係合連結した際に、少なくとも全閉時において、一側のスラットの該中空状突出部が他側のスラットの中空状のスラット本体に当接することで中空部が上下方向に連続するように構成されていることを特徴とするものである。好ましくは、前記カシメ加工は表面ローレット加工である。スラットの板厚の範囲は０．５ｍｍ〜１．２ｍｍ程度の値が想定できるが、シャッターカーテン重量、ロール加工等を考慮すると、０．５ｍｍ〜０．６ｍｍ程度が好ましい。
【０００８】
【発明の実施の形態】
本発明の実施の形態を図面に基づいて説明する。図１はロール成形機の概略側面図である。ロール成形機はアンコイラー１と、複数の駆動ロールスタンド２とを備えており、アンコイラー１には板厚略０．５ｍｍの帯状鋼板が巻装されており、アンコイラー１から繰り出された鋼板は多段に複数配設されている成形ロールによって順次所定の断面形状に成形される。シャッタースラットを成形するロール成形機の基本的構成は公知である。所定の断面形状に成形された鋼板は走間切断機によって、所定長に切断される。
【０００９】
図２は本発明に係るスラットの実施形態を示す側方断面図である。スラット３は、中空状の本体４と、本体４の上端側に形成したインターロック係合部５と、本体４の下端側に形成したインターロック係合受部６とから構成されている。スラット３は一枚の鋼板を中空部７を形成するように幅方向に折り返して形成されており、インターロック係合部５が幅方向端部同士の重合部側、インターロック係合受部６が折り返し側となっている。インターロック係合受部６の成形は、公知のロール成形によって行うことができる。尚、中空スラット３はスチール製であり、好適には防火シャッターのシャッターカーテンを構成するスラットとして用いられる。
【００１０】
インターロック係合部５の形成について図３乃至図６に基づいて説明する。鋼板の幅方向端部同士を重合させる際には、一方の端部８ａに余端部９を形成するように鋼板の端部８ａ，８ｂ同士を重合させる。この状態では、端部８ａ，８ｂ同士はフラット状（断面視直線状）に重合されている。さらに余端部９を折り返して他方の端部８に密着重合させ、該密着重合部にローレット加工を施し、端部８ａ，８ｂ同士の重合部を曲げ加工することでインターロック係合部５が形成されている。
【００１１】
図４乃至図６は、係合部５の成形過程を３段階に分けて示す図であり、参照番号１０乃至２１は成形ロールを示している。図４は余端部９を折曲させる工程を示しており、図５はカシメ加工を示している。余端部９を折り返して他方の端部８ｂに密着重合させた状態において、該密着重合部に位置して配設したローレットロール１７によって、該密着重合部に表面ローレット加工１７０が施される。
【００１２】
ローレット加工が施された密着重合部を先端に有する重合部は順次多段の成形ロールを通過することで、重合部全体が順次曲げ加工されてインターロック係合部５が形成される。
【００１３】
図７には、防火用中空スラットおよび該スラットを上下に連設してなる三つの実施例が開示されている。係合受部６は鋼板の折り返し部を中空部からなる突出部７ａを残すようにして凹状に重合させて形成されており、中空スラット１は、スラットを上下に係合連結した際に、少なくとも全閉時において、一側のスラットの中空状突出部７ａ（詳しくは中空状突出部７ａの端部外縁）が他側のスラットのスラット本体の中空部７（詳しくは中空部７の外面）に当接することで中空部が上下方向に連続するように構成されている。スラットの板厚は０．５乃至０．６ｍｍであり、こうすることで、全閉時において、シャッターカーテン全域において中空部が連続することで、良好な防火機能を持たせることができる。図示のものはシャッターカーテンが吊持された状態を示すものであって、図７（Ｃ）に示すものも、全閉時には隙間が生じることはない。また、火災信号を受けてシャッターが自重降下した場合には（たとえ、通常の電動開閉時はリミットスイッチの設定により、多少の隙間が開いた状態で停止するものであっても）、スラット間の隙間がなくなるまでシャッターカーテンは降下する。中空の防火シャッターでは、火災面、非火災面に温度差が生じ、反りや捻りが生じるが、その際に、重合部にズレが生じる惧れがあるが、本発明の中空スラットにおいては、重合部にカシメ加工が施されているので、重合部のズレに有効に対抗できる。
【００１４】
【発明の効果】
本発明によれば、鋼板の連結部分をカシメ加工することで、形状が安定し、さらに、スラットの強度が安定するという効果を奏する。また、カシメ加工はインターロック係合部の折曲形成の前に行うので、カシメ加工を容易かつ良好に行うことができる。また、防火用スラットにカシメ加工を採用することで、火災時の熱によるスラットの反りや捩れを防止することができる。
【図面の簡単な説明】
【図１】ロール成形機の概略側面図である。
【図２】 本発明に係るスラットの側方断面図である。
【図３】スラットのインターロック係合部を折曲形成する前の状態を示す側方断面図である。
【図４】重合密着部を形成する工程を示す断面図である。
【図５】カシメ加工を行う工程を示す断面図である。
【図６】インターロック係合部を折曲形成する工程を示す断面図である。
【図７】防火用中空スラットおよび該スラットを上下に連設してなる三つの実施例を示す図である。
【符号の説明】
３    スラット
５    インターロック係合部
６    インターロック係合受部
７    中空部
【図１】
0003780473.tif 000002
【図２】
0003780473.tif 000003
【図３】
0003780473.tif 000004
【図４】
0003780473.tif 000005
【図５】
0003780473.tif 000006
【図６】
0003780473.tif 000007
【図７】
0003780473.tif 000008